(57)【要約】      （修正有）【課題】洗濯したワイシャツ等の衣服を人体型に着せた状態で仕上げる衣服仕上げ機の、人体型に装着して使用するボディパッドにおいて、人体型への装着作業を、簡単、迅速に、また楽にできるようにし、取り扱いを容易化する。【解決手段】ボディパッドを、衣服１を着せるための人体型２の前後を覆うクッション質の面状材３で形成する。面状材の側部をファスナー４で開閉可能に形成する。ファスナーの、エレメント４ａが取り付けられているテープ状基材４ｂの少なくとも一方を、テープ状基材の長手方向と直交する方向に伸縮する部材５を介して面状材に接続する。【選択図】図１
0003230830.tif 000002
【実用新案登録請求の範囲】
【請求項１】
衣服を着せるための人体型の前後を覆うクッション質の面状材で形成され、この面状材の側部がファスナーで開閉可能に形成されている衣服仕上げ機の人体型装着用ボディパッドであって、上記のファスナーの、エレメントが取り付けられているテープ状基材の少なくとも一方が、このテープ状基材の長手方向と直交する方向に伸縮する部材を介して上記の面状材に接続されていることを特徴とする衣服仕上げ機の人体型装着用ボディパッド。
【請求項２】
請求項１記載の衣服仕上げ機の人体型装着用ボディパッドであって、伸縮する部材がテープ状基材の長手方向に沿って配置されている帯状の布片で形成され、この布片がテープ状基材と面状材に縫い付けられていることを特徴とする衣服仕上げ機の人体型装着用ボディパッド。
【考案の詳細な説明】
【技術分野】
【０００１】
本考案は、洗濯したワイシャツ等の衣服を、起立状の人体型に着せた状態でプレス仕上げする衣服仕上げ機に関し、更に詳しくは人体型に装着して使用するボディパッドに関するものである。
【背景技術】
【０００２】
従来、この種のパッドは、人体型の前後を覆うクッション質の面状材で形成され、この面状材で人体型に加わるプレス鏝の衝撃や振動を和らげるよう形成されている（例えば特許文献１参照）。
そして、従来、この種のパッドの中には、前後の面状材の両側部にファスナーが設けられ、ファスナーで両側部が開閉可能に形成されているものがある。
【０００３】
而して、この種のパッドは、人体型への装着状態が緩いと、プレス鏝の衝撃等で位置ずれし、衣服を綺麗にプレス仕上げすることができない。
従って、従来、この種のパッドは、人体型のサイズぎりぎりに作られ、人体型に、きつく固定（装着）できるよう形成されていた。
【０００４】
そのため従来、この種のパッドを人体型に装着する際は、パッドを人体型に被せた後、先ず、一方側のファスナーを閉じ、次に他方側のファスナーを閉じるとき、作業者は、面状材を力一杯引っ張って装着する必要があった。
【０００５】
その結果、従来品によると、人体型への装着作業に、強い大きな力が必要となり、労力と時間がかかったから、取り扱いが不便で、使い勝手が悪い、という問題点があった。
【先行技術文献】
【特許文献】
【０００６】
【特許文献１】特開２００７−３０６９９５号公報
【考案の概要】
【考案が解決しようとする課題】
【０００７】
本考案は、このような従来技術の問題点に鑑み、提案されたものである。
従って、本考案の解決しようとする技術的課題は、洗濯したワイシャツ等の衣服を人体型に着せた状態で仕上げる衣服仕上げ機の、上記の人体型に装着して使用するボディパッドにおいて、人体型への装着作業を、簡単、迅速に、また楽にでき、取り扱いが容易になるよう形成した衣服仕上げ機の人体型装着用ボディパッドを提供することにある。
【課題を解決するための手段】
【０００８】
本考案は、上記の課題を解決するため、次のような技術的手段を採る。
即ち、本考案のボディパッドは、図１等に示されるように、衣服１を着せるための人体型２の前後を覆うクッション質の面状材３で形成され、この面状材３の側部がファスナー４で開閉可能に形成されている衣服仕上げ機の人体型装着用ボディパッドであって、上記のファスナー４の、エレメント４ａが取り付けられているテープ状基材４ｂの少なくとも一方が、このテープ状基材４ｂの長手方向と直交する方向に伸縮する部材５を介して上記の面状材３に接続されていることを特徴とする（請求項１）。
【０００９】
ここで、テープ状基材４ｂの少なくとも一方が、とは、エレメント（務歯）４ａが取り付けられているテープ状基材４ｂの両方には限られず、伸縮する部材５を介して面状材３に接続されるのは、その内の一方だけでも良い、ということを意味する。伸縮する部材５としては、織り方や、織糸の配置、或いはゴム糸等が織り交ぜられることで伸縮機能を有するよう形成された布（生地）や編地（網地）、ゴムシート等の部材がある。
【００１０】
而して、本考案は、伸縮する部材５がテープ状基材４ｂの長手方向に沿って配置されている帯状の布片で形成され、この布片がテープ状基材４ｂと面状材３に縫い付けられているのが好ましい（請求項２）。
【００１１】
なぜなら、これによると、面状材３を縫製する一連の工程で本考案品を実現でき、製造コスト、加工コストを抑えることができるからである。
【考案の効果】
【００１２】
本考案のボディパッドは、このようにファスナーの掛け止め操作を容易にすることで、人体型への装着性の向上を図っているものである。
【００１３】
従って、本考案は、面状材のサイズや材質の変更を伴うものではないから、これによれば、この種パッドの固定性（プレス鏝の圧力を受けても位置ずれすることなく、きつく人体型に装着できる性能）を損なうことがない。
【００１４】
また本考案は、伸縮する部材によってファスナーの開閉操作を容易化できる。
従って、これによれば、人体型に、簡単且つ迅速に、また楽に装着できる。
【図面の簡単な説明】
【００１５】
【図１】本考案のボディパッドの好適な一実施形態を示し、Ａは使用状態時の正面図、Ｂは要部左側面図である。
【図２】人体型を備えた衣服仕上げ機の要部正面図である。
【図３】同上ボディパッドの装着時の要部横断面図である。
【図４】同上ボディパッドの正面図である。
【図５】図４のＶ−Ｖ線における要部拡大断面図である。
【考案を実施するための形態】
【００１６】
以下、本考案の好適な一実施形態を、添付図面に従って説明する。
本考案は、例えばワイシャツ等の衣服１を着せるための人体型２の前後を覆うクッション質の面状材３で形成されている。この面状材３の側部は、ファスナー４で開閉可能に形成されている。
【００１７】
上記の面状材３は、この実施形態ではフランネルで形成されている。またこの実施形態の本考案品は、同じ大きさの２枚の面状材３が肩のラインで縫い合わされて二つ折り状に形成されている。そして、前側の面状材３は、上部に、人体型２の首２ａを通すための孔３ａが開口されている。
【００１８】
而して、上記のファスナー４の、エレメント４ａが取り付けられているテープ状基材４ｂの少なくとも一方は、このテープ状基材４ｂの長手方向と直交する方向に伸縮する部材５を介して上記の面状材３に接続されている。この実施形態では、図１Ｂに示されるように、テープ状基材４ｂの一方だけが、伸縮する部材５を介して前側の面状材３に接続されている。
【００１９】
この実施形態の場合、伸縮する部材５は、伸縮機能を有する帯状の布片である。この伸縮する部材５としての帯状の布片は、テープ状基材４ｂの長手方向に沿って配置され、テープ状基材４ｂと面状材３に縫い付けられている。
【００２０】
図３において、６は、本考案品を覆うカバーである。本考案品は、ワイシャツ等の衣服１の洗濯糊で汚れないよう、このカバー６で覆われるものである。
【００２１】
次に、この実施形態に係る本考案品の使用例を説明する。
【００２２】
先ず、作業者は、人体型２の首２ａに、前側の面状材３の上部の孔３ａを通し、面状材３を人体型２に被せる。これにより、人体型２の前後が、面状材３でサンドイッチ状に覆われる。
【００２３】
次に、作業者は、図５に矢示されるように、前側のテープ状基材４ｂ（図面上は下側のテープ状基材４ｂ）を、後側のテープ状基材４ｂ（図面上は上側のテープ状基材４ｂ）の側に引き寄せる。この場合、前側のテープ状基材４ｂは、伸縮する部材５を介して前側の面状材３に接続されている。
【００２４】
従って、本考案によると、伸縮する部材５の伸張分だけ遊びが生まれ、前側と後側のテープ状基材４ｂのエレメント４ａを噛み合わせ易くなり、その結果、ファスナー４を楽に閉めることができる。
【００２５】
而して、作業者は、このような操作を、先ず面状材３の一方側で行い、次に反対側（他方側）で行う。
そして、本考案の場合、一旦、ファスナー４が閉じられると、伸縮する部材５の復元力でファスナー４や面状材３が緊張される。
【００２６】
従って、本考案によれば、面状材３のサイズが人体型２にきつく装着できるぎりぎりのサイズに選定されていることとも相俟って、伸縮する部材５の復元力によっても人体型２にしっかりと装着できる。
【００２７】
以上の処において、本考案は、上記の通り、伸縮する部材５が、一つのファスナー４を形成する左右のテープ状基材４ｂの両方に接続されているのでも良い。
【００２８】
また本考案の場合、伸縮する部材５は、ファスナー４の閉じ易さと、人体型２への固定性を担保できる範囲であれば、伸縮性の程度や材質等は自由である。
【符号の説明】
【００２９】
１      衣服
２      人体型
３      面状材
４      ファスナー
４ａ    エレメント
４ｂ    テープ状基材
５      伸縮する部材
【図１】
0003230830.tif 000003
【図２】
0003230830.tif 000004
【図３】
0003230830.tif 000005
【図４】
0003230830.tif 000006
【図５】
0003230830.tif 000007